(57)【要約】      （修正有）【課題】通信端末機器相互間の文書（メール・メッセージ）通信を簡易に、また相互間の通信処理状況を的確に把握でき、暗号化処理で通信時の安全性も高めることができる通信システムを提供する。【解決手段】メールメッセージを送信し、また受信する通信端末機器２と、送受信するメールメッセージを管理し、処理するメール・サーバ１とによって通信端末機器２相互間でメールメッセージを送受信する。通信端末機器２では、送受信するメールメッセージを一覧表示し、メッセージを送信したことの送信済の送信メッセージ、送信したメッセージが相手方で開封されたことの開封済の開封メッセージ、受信メッセージを受信済であることの受信メッセージ、受信メッセージに対して返信済みであることの返信メッセージそれぞれをその処理状況に対応して仕分けし、仕分けしたメッセージそれぞれの現在の処理状況を識別表示する。またメッセージ文章の一部をアイコン・記号に置換し、暗号化する。【選択図】図１
0003202762.tif 000002
【実用新案登録請求の範囲】
【請求項１】
メールメッセージを送信し、また受信する通信端末機器と、送受信されるメールメッセージを管理し、処理するメール・サーバとによって通信端末機器相互間でメールメッセージを送受信する通信システムであって、通信端末機器では、送受信されるメールメッセージを一覧表示し、メッセージを送信したことの送信済の送信メッセージ、送信したメッセージが相手方で開封されたことの開封済の開封メッセージ、受信メッセージを受信済であることの受信メッセージ、受信メッセージに対して返信済みであることの返信メッセージそれぞれをその処理状況に対応して各フォルダ毎に仕分けし、仕分けされたメッセージそれぞれの現在の処理状況を識別表示するようにしたことを特徴とする通信システム。
【請求項２】
仕分けされたメールメッセージの識別表示は、それぞれで異なる色識別が施される請求項１に記載の通信システム。
【請求項３】
メールメッセージは短文章のチャットメッセージである請求項１または２に記載の通信システム。
【請求項４】
同一内容として関連して送受信される一連のチャットメッセージを一群にして纏めてグループ管理し、送信した送信チャットメッセージと、相手方から受信した受信チャットメッセージとのメッセージ本文を区分けして時系列で順次に表示するようにして成る請求項１乃至３のいずれかに記載の通信システム。
【請求項５】
グループ管理は、チャットメッセージのタイトル名称、メール発信日時によって判別するようにして構成することができる請求項１に記載の通信システム。
【請求項６】
メールメッセージは、送信される送信メッセージ文章の少なくとも一部が、所定内容を意味するアイコンによって置換作成され、アイコンが混在されて受信した受信メッセージ文章中のアイコンを所定内容のテキストデータに復元置換して表示されるようにしてある請求項１乃至５のいずれかに記載の通信システム。
【請求項７】
アイコンは、送信時に所定記号に変換し、受信時に復元することで暗号化されるようにしてある請求項６に記載の通信システム。
【考案の詳細な説明】
【技術分野】
【０００１】
この考案は、パソコン、タブレットパソコン、スマートフォンその他の通信端末機器を利用した機器相互間の文書（メール・メッセージ）通信を簡易に、また相互通信時における相互間の通信状況を的確に把握でき、しかも適宜な暗号化処理によって通信時の安全性も高められるようにして、相互間における簡易なコミュニケーションツールとして利用できる通信システムに関する。
【背景技術】
【０００２】
近時の携帯電話機等の普及によって、携帯電話機相互間さらにはパソコン（パーソナルコンピュータ）、タブレットパソコン、スマートフォン（スマホ）等との相互間でｅ−ｍａｉｌ（メール）の送受信によって、ビジネス、プライベートを問わず相互に連絡し合うことができるようにした、いわゆるコミュニケーションツール（電子プログラム）が使用されている。また、従前にはポケットベルに代表されるような簡単な操作でのメッセージの送受信機能を備えた携帯型端末機器もあったが、近時は、スマートフォン等を利用したメッセージツールとしてＳＮＳ（ソーシャル・ネットワーキング・サービス）型のショートメッセージが主となりつつあり、例えばＴｗｉｔｔｅｒ（登録商標）、ＬＩＮＥ（登録商標）さらにはＦａｃｅｂｏｏｋ（登録商標）、Ｍｅｓｓｅｎｇｅｒ（登録商標）等もある。
【０００３】
こうしたＳＮＳ型の配信サービスの利便性を高めるために、例えば特許文献１にあるような送受信システム、送受信装置、及び送受信方法、さらには特許文献２にあるようなＳＭＳメール配信サービスシステム及びＳＭＳメール配信サービス方法並びにＳＭＳメール配信サービスプログラム等が提案されている。特許文献１では、取得したメッセージに対する返信メッセージの候補を作成して腕時計型デバイス等のウェアラブルコンピュータに送信し、このウェアラブルコンピュータでは、その返信メッセージの候補の中から選択された返信メッセージを送受信装置に送信して送受信装置を介して返信メッセージを送信するとして成る。特許文献２では、受信先スマホ携帯電話番号と短い文字メッセージと受信先名と配信日時とを含む配信キューを利用者側パソコンに登録して、利用者側スマホからの要求によって、配信日時となった配信キューを利用者側スマホに送信し、受信先にＳＭＳメールを送信するとして成る。
【先行技術文献】
【特許文献】
【０００４】
【特許文献１】特開２０１４−１３４９０３号公報
【特許文献２】特開２０１５−６０５８８号公報
【考案の概要】
【考案が解決しようとする課題】
【０００５】
ただ、特許文献１では返信メッセージの候補の選択、指示をウェアラブルコンピュータによって操作するにすぎず、機器相互間の送受信時における送受信者同士のきめ細かい送受信内容の送受信には不適であるばかりでなく、送受信者における送受信時の状況が互いに不明であって、不便である。特許文献２では低価格で多数の受信者にＳＭＳメールを配信できるとしても、各種の送受信端末を所有する送受者個々の相互間でのコミュニケーションを行うには適当ではない。
【０００６】
そこでこの考案は上述したような従来存した諸事情に鑑み創出されたもので、一般的な従来のメール機能にショートメッセージ機能を付加し、メール機能操作時にショートメッセージ機能によって送受信用の各種端末機器による送受信に際し、送受信者相互間において長文のメールの送受信はもとよりショートメッセージによる短文メールを簡単に送受信できるようにし、その送信、返信、相手方の開封の有無、完了等の通信状況（ステータス）が一覧的に把握でき、しかも送信したメッセージを相手方が開封の有無したことによる思案・検討中であることを了解でき、またショートメッセージのアイコン表示による暗号化によってセキュリティを向上できるようにしたコミュニケーションツールとしての通信システムを提供することにある。
【課題を解決するための手段】
【０００７】
上述した課題を解決するため、この考案にあっては、後述する考案を実施するための形態における使用符号を付記して説明すると、メールメッセージを送信し、また受信する通信端末機器２と、送受信されるメールメッセージを管理し、処理するメール・サーバ１とによって通信端末機器２相互間でメールメッセージを送受信する通信システムであって、通信端末機器２では、送受信されるメールメッセージを一覧表示し、メッセージを送信したことの送信済の送信メッセージ、送信したメッセージが相手方で開封されたことの開封済の開封メッセージ、受信メッセージを受信済であることの受信メッセージ、受信メッセージに対して返信済みであることの返信メッセージそれぞれをその処理状況に対応して各フォルダ毎に仕分けし、仕分けされたメッセージそれぞれの現在の処理状況を識別表示するようにしたことを特徴とする。
仕分けされたメールメッセージの識別表示は、それぞれで異なる色識別が施されることで構成することができる。
メールメッセージは短文章のチャットメッセージであるものとして構成することができる。
同一内容として関連して送受信される一連のチャットメッセージを一群にして纏めてグループ管理し、送信した送信チャットメッセージと、相手方から受信した受信チャットメッセージとのメッセージ本文それぞれを区分けして時系列で順次に表示するようにして構成することができる。
グループ管理は、チャットメッセージのタイトル名称、メール発信日時によって判別するようにして構成することができる。
メールメッセージは、送信される送信メッセージ文章の少なくとも一部が、所定内容を意味するアイコンによって置換作成され、アイコンが混在されて受信した受信メッセージ文章中のアイコンを所定内容のテキストデータに復元置換して表示されるようにして構成することができる。
アイコンは、送信時に所定記号に変換し、受信時に復元することで暗号化されるようにして構成することができる。
【０００８】
以上のように構成されたこの考案に係る通信システムにあって、通信端末機器２において送受信されたメールメッセージは、その処理状況に応じて送信、開封、受信、返信等に仕分けされて例えば異なる色で識別表示され、一覧的表示によって送受信メールメッセージの処理状況を簡単に把握させる。しかも、開封済として仕分けされたメールメッセージは、送信先の相手方において開封されたことでそれを検討、思案中であることを送信者に明示させる。
また、短文章であるチャットメッセージは関連するものを纏めた一群にしてグループ管理し、この一群中の送信チャットメッセージ、受信チャットメッセージのメッセージ本文それぞれの区分け表示は、関連したチャットメッセージの送受信を経時的に一覧として表示し、内容を容易に把握させる。
送信するメールメッセージ中の文章の一部でも、その内容を表示するアイコンに置換することでメール文章の入力作成を容易にし、受信したアイコン混在の文章中のアイコンのテキストデータへの置換によってメールメッセージを復元させる。
置換されたアイコンをさらに記号化した実メールとすることで、その実メールの内容の把握、理解を不能にさせて第三者には秘匿される暗号化を可能にし、受信者において受信した暗号化されたメールメッセージは所定の手順で復元されることで、その内容を把握させる。
【考案の効果】
【０００９】
この考案は以上説明したように構成されているため、通信端末機器２によるメール・サーバ１を介しての相互間のチャットメッセージ等のメールメッセージの送受信では、送信側の通信端末機器２において送信したメールメッセージを送信、相手方の開封、受信、返信等の処理後の状況によってこれらがフォルダ毎に例えば色識別によって仕分け表示され、送信者においてメールメッセージの処理状況を簡単に把握できる。しかも、送信したメールメッセージが相手方において開封の有無を把握でき、開封されたのであればその検討・思案中であることを簡単に了解できる。
【００１０】
すなわち、これはこの考案において、メールメッセージを送受信する通信端末機器２、メールメッセージを管理、処理するメール・サーバ１による通信システムにおいて、通信端末機器２では、送受信されるメールメッセージを一覧表示し、送信済の送信メッセージ、相手方の開封メッセージ、受信メッセージ、返信メッセージそれぞれの処理状況に対応して各フォルダ毎に仕分けし、仕分けされたメッセージそれぞれの現在の処理状況を識別表示するようにしたからである。これによって送受信したメールメッセージの処理状況を一覧的に把握できる。
【００１１】
また、通信端末機器２の相互間で送受信される一連のチャットメッセージを一群にして纏めてグループ管理し、送信チャットメッセージ、受信チャットメッセージのメッセージ本文を区分けして時系列で順次に表示するようにしてあるから、送受信される一連の関連性あるチャットメッセージは、これの経時的処理と共に容易に理解でき、しかも送信内容、受信内容を時系列で整理、把握でき、相互の関連性も十分に確認した上で容易に把握できる。しかも、同一内容に関連するチャットメッセージによるグループ管理は、チャットメッセージのタイトル名称、メール発信日時によって判別するから、確実に時系列に表示してグループ化できる。
【００１２】
メールメッセージは、送信メッセージ文章の少なくとも一部が、所定内容を意味するアイコンによって置換作成されるから、送信メールメッセージの作成に際する入力操作を簡素化でき、従来のショートメッセージの作成と同様に簡単に操作できる。
【００１３】
アイコンが混在されて受信したチャットメッセージは、アイコンが意味する所定内容に置換され、これを復元してテキスト表示するようにしてあるから、送信者によって送信された所定内容と同一のチャットメッセージとして認識、把握できる。
【００１４】
また、送信時に作成された送信メールメッセージ中で置換されたアイコンを所定の記号にさらに置換することでテキストデータとなる実メールとして送信でき、この実メールを受信した受信時に記号部分をテキストデータとして復元して文章化するようにしてあることで、第三者・部外者にとっては記号部分の内容が理解できない暗号化されたものとなるから、送受信する通信端末機器２相互間でのセキュリティーを向上でき、秘匿性を高めた送受信を実現できる。
【００１５】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１６】
【図１】この考案を実施するための一形態を示すシステム概要図である。
【図２】同じくパソコンである通信端末機器におけるショートメッセージ管理画面の一例における画面図である。
【図３】同じくスマートフォンである通信端末機器におけるショートメッセージ管理画面の一例における画面図で、その（Ａ）は送信時、その（Ｂ）は開封時、その（Ｃ）は完了時それぞれの処理段階時を示す。
【図４】同じくパソコンである通信端末機器におけるショートメッセージのチャット管理画面の一例における画面図である。
【図５】同じくスマートフォンである通信端末機器におけるショートメッセージ管理画面の一例における画面図である。
【図６】同じくテキストとアイコン・記号との変換対応を示すテーブル表における一例を示す対応図である。
【図７】同じくアドレス帳における登録編集機能を示す画面例である。
【図８】同じく新規メール作成時における画面例である。
【図９】同じくメール処理全体概要のフローチャート図である。
【図１０】同じくメール利用のショートメッセージの管理・処理を示すフローチャート図である。
【図１１】同じくテキストのアイコン化、その復元化の処理を示すフローチャート図である。
【図１２】同じくスマートフォンである通信端末機器におけるテキストのアイコン化処理時の一例における画面図である。
【考案を実施するための形態】
【００１７】
以下、図面を参照してこの考案を実施するための一形態を説明すると、図において示される符号１はメール・サーバであり、インターネット（ネットワーク）を介して、メール、チャットメッセージの如きショートメッセージを送受信する送受信者が有するパソコン、携帯電話機、スマートフォン、タブレットパソコンその他の通信端末機器２と送受信可能にしてネット接続されている。
【００１８】
このメール・サーバ１には、ｅ−ｍａｉｌ（メール）、ショートメッセージその他の通信文を管理・処理するメール機能管理部１０、通信文の送信／開封／返信・完了を仕分けしてフォルダ毎に仕分け処理する仕分け管理部２０、送受信者のメールアドレスを管理するメールアドレス管理部３０を備える。また、作成される通信文におけるタイトル・本文のデータを格納するメールデータ部４０、メール・チャットのメッセージデータを格納するメール・チャットデータ部５０、通信文作成時における暗号化処理のための各種のアイコンを対象文章と共にテーブル表として蓄積格納しているメール文章・アイコンライブラリー部６０、通信文に添付される各種の写真等の画像、各種ファイル等を格納するメール添付データ部７０を備えると共に、これらのメールデータ部４０、メール・チャットデータ部５０、メール文章・アイコンライブラリー部６０、メール添付データ部７０等によって作成された通信文等を処理する文章編集・入力・表示処理部８０を備える。
【００１９】
メール機能管理部１０は、送受信者であるメール利用者を管理すると共に、通信文作成・管理・状況等を、メール機能を使用するときの各種の初期設定及び設定された初期状態を管理し、また、メールを利用する際のメール利用時の各種要求を処理するようにしており、さらには通信文の受信・送信／返信・開封・完了処理を行い、同様にチャット用のショートメッセージの送信／返信・完了処理等を行うようになっている。なお、「開封」は送信した相手方である送信先で、相手方が開封した状態のことであり、開封要求・開封済通知を設定することなく、相手方が開封し、そのメール内容を検討・思案中であることが送信元で、「開封」表示されることにより把握できるようにしている。
【００２０】
仕分け管理部２０は、メール機能管理部１０における各種処理と関連して、メール受信・送信／返信・開封・完了データを、その処理状況に対応してそれらのデータを例えばフォルダ毎にファイル仕分けし、管理するようになっている。
【００２１】
メールアドレス管理部３０は、送受信者それぞれに付与されるメールアドレスを管理し、その検索、相手先である送信先の宛先の特定（ｔｏ．）、これのコピーの送付先の特定（ｃｃ．）、コピー送付先を秘匿した他の送信先の特定（ｂｃｃ．）の設定等を処理するようになっている。
【００２２】
また、メールデータ部４０は、メールの件名であるメールタイトル、通信本文のデータ等を管理し、メール・チャットデータ部５０は、同様にチャット時のメール、チャットデータを管理するようになっている。これらのメールデータ部４０、メール・チャットデータ部５０にて管理された通信文データ、チャットメッセージ等のデータ等は、文章編集・入力・表示処理部８０において、文章作成、編集、表示等が処理されるようになっている。
【００２３】
メール文章・アイコンライブラリー部６０は、メール文章を、その一部でも文章内容に対応した内容として表示するよう各種のアイコン（絵）を蓄積格納しているライブラリーとして予め用意されているメール文章絵アイコン・ライブラリーを管理し、また、文章編集・入力・表示処理部８０によって、ライブラリーにおいて、文章内容から適宜に選択されたアイコンを表示し、更にこのアイコンを記号化している例えば英文字・記号・数字等の組合せとして用意されているアイコン記号に変換するよう検索挿入し、表示処理するようになっている。また、この文章編集・入力・表示処理部８０では、作成されたメール通信文あるいはチャットメッセージの文章等をアイコン文章として暗号化して変換し、送信できるようにしており、逆に受信した場合において、この暗号化されたアイコン文章、さらに記号化された実メール内容をテキストに復元し、解読処理するようにしている。
【００２４】
メール添付データ部７０は、メールに添付するファイル、写真・画像その他を管理しており、通信端末機器２として用意されているパソコン、携帯電話機、スマートフォン、タブレットパソコンその他における内部ファイル等の検索、その添付操作によって添付された添付ファイル等を管理処理するようになっている。
【００２５】
一方、このメール・サーバ１を介して所定のメール、チャットメッセージ等を送受信するパソコン、携帯電話機、スマートフォン、タブレットパソコンその他の通信端末機器２には、メール・サーバ１とのＨＴＴＰ等に基づく通信を処理する通信処理部３、ＨＴＭＬ等の構文を解析する解析処理部４、ＨＴＭＬ等の構文の解析結果から、文字、画像等を描写・表示する描写表示処理部５を備えている。そして、これらのメール、チャットメッセージ等は、所定のブラウザによって通信端末機器２のディスプレー部に表示され、またディスプレー部と別個に用意されたキーボード・マウスの如き操作部あるいはディスプレー部中に表示されるタッチパネル式操作域によって操作されるようになっている。
【００２６】
すなわち、通信端末機器２においてメール機能を利用するとき、ショートメッセージ（チャット）機能によってメール一覧の送受信状況が表示されるようにしてある。その状況表示は、送受信時の状況に応じて自動的にフォルダ毎に仕分けされ、またその表示が自動で色識別ができるようにしてあって、送信メールが送信先で開封されたことの表示（送信⇔開封）を示す「開封」、送信メールに対する返信であることの表示（←返信）を示す「返信」、転送メールが開封されたことの表示（転送⇔開封）、転送メールに対する返信であることの表示（←返信）であることが、例えば色識別等の識別手段が格納保管しているメールそれぞれに付記表示される。
【００２７】
これの画面例を具体的に図２によって示すと、送受信のメールは、メールフォルダ表示域１０１において、その処置状況（送信、受信、開封、返信、転送、完了）に応じて設定されている識別用のフォルダに自動仕分けされる。送受信のメール一覧は、タイトル表示域１０２において、その１件毎にタイトル内容を１段で、メッセージ（チャット）の最新（最終）内容を１段での計２段で表示される。また、そのメール１件の表示は、送受信者表示域１０３において、送信者、受信先アドレス（ｔｏ．ｃｃ．ｂｃｃ別の表示を含むため、複数で設定が可能）の送受信者等の複数の顔写真やイラスト表示、イラストなどがない場合はメールアドレスの先頭から例えば６文字を表示する。送受信されるチャット回数は、チャット回数表示域１０４において、関連したチャットメッセージを一群で纏めてグループ管理される１群表示それぞれに送信・返信等のチャット回数を表示する。また、それぞれの表示されたメールは、現状況表示域１０５において、その１件のメール毎にチャット（コミュニケーション）の現状況（送信済、開封済、返信済、完了済などの処置が終了した現状況）が、自動で色識別による色分け（メール処置との連携による例えば赤色・黄色・緑色など）表示をする。表示されているメールには、最終チャット日時表示域１０６において、送受信した最新（最終）チャットの日時を、例えば同日中であれば時分を、前日以前であれば月日等を表示する。
【００２８】
また、図中１１１はメールアドレス帳編集機能、メーリングリスト作成機能、初期設定機能、操作マニュアル参照機能等による設定、参照のためのボタンが用意された機能設定表示操作域であり、１１２は自身の顔写真・画像等を表示する自画像表示域であり、１１３は新規メール作成操作域である。１１４は表示されている１件毎の削除対象とする各メールを削除操作するためのチェックボタンを入力するように例えば四角枠がメール毎に表示され、また一括で操作削除をする削除操作域であり、１１５は複数頁に跨っている場合の前画面・前頁、次画面・次頁を選択操作させる頁変更指示操作域であり、これらの操作はいずれもクリック・タップ等の所定の入力指示方法によって制御操作されるようにしてある。
【００２９】
一方、これをスマートフォンによって制御操作する場合のスマートフォンにおける画面例を以下に説明すると、これのディスプレー部では、その１件表示において、チャット（コミュニケーション）の現状況（送信済、開封済、返信済、完了済など）が、自動で色識別する色分け（メール処置制御との連携による例えば赤色・黄色・緑色など）表示をする。図３に示すように、その（Ａ）は送信完了時、その（Ｂ）は開封時、その（Ｃ）は完了時それぞれにおける画面の変化を処理段階毎で表示説明している。なお、このスマートフォンによるショートメッセージ処置は、送信先相手方によって複数であっても対応可能なように、送信先アドレス（ｔｏ．ｃｃ．ｂｃｃ別の表示を含む）を設定できるようにしてある。
【００３０】
通信端末機器２では、送受信が繰り返されるチャットのメールであるチャットメッセージは、一覧的に表示されるようにしてある。すなわち、メールは一般的に、タイトルと本文とに分かれ、送信、返信などを繰り返しているから、このメール本文機能を活かし、更にチャット風のコミュニケーションとして利用している。このコミュニケーションとしてのチャットメッセージ内容の状況表示は、先のメール一覧送受信状況表示画面（図２参照）において、同一内容として関連して送受信される一連のチャットメッセージを一群として纏めてグループ管理しており、その関連する一連のチャットのメッセージ表示のいずれかを選択することで、図４に示すようにこの一連のメールの送受信内容が所定大きさによってダイヤログ的にチャットメッセージ表示画面１２０として表示される。
【００３１】
このチャットメッセージ表示画面１２０では、チャットメッセージのタイトル名称は一連のチャットメッセージの内容を表示する「標題」として標題表示域１２１に示され、メール機能を活用して最初のメッセージ発信日時とタイトル名称とが同一であれば、一連のチャットメッセージとしてグループ管理をする。次いで、本文機能を活用してチャットメッセージは、送受信内容を順次に、例えば日時順としての昇順あるいは降順設定をすることで、チャットメッセージ表示域１２２に表示する。チャットメッセージ表示域１２２では、本人が送信した送信文章（メッセージ）の内容を表示する本人文章表示部分１２３と、相手方から送信された相手文章（メッセージ）を受信して表示する相手方文章表示部分１２４とに、たとえば画面の左右部に色分けして、発信日時と併せて表示する。なお、本人文章と相手方文章とは、送受信時の時系列に沿って例えば交互に表示されていて、左右部でいずれか一方の文章が表示されれば、他方では空欄・空域にすることで、相互間の送受信時、内容等が迅速に理解できるようにしている。
【００３２】
このときのチャット風メッセージの入力は、チャットメッセージ表示域１２２とは別に形成区画されたチャット入力表示域１２５によって、入力表示されるようにしてあり、その返信は「返信」、完了は「完了」等が表記された処理アイコンボタンに対するクリック・タッチによって処理され、これらは事前の処理設定によってできるようにしてある。その他、メール機能を利用するため、写真・画像、ファイル等も添付可能にしている。
【００３３】
図中符号１２６は、送受信者である本人、相手方を例えば登録された顔写真によって表示している送受信者表示域である。
【００３４】
また、図５では、通信端末機器２がスマートフォンである場合の画面例を表示しており、標題表示域１２１、チャットメッセージ表示域１２２、チャット入力表示域１２５、送受信者表示域１２６それぞれが同様にして区画形成されて、表示されている。すなわち、スマートフォンにおけるディスプレー部では、本人文章表示部分１２３と相手方文章表示部分１２４とは、時系列的に交互に表示し、これらが容易に識別できるように、少なくともいずれか一方では他方と色分けによって、さらには例えば相手方文章表示部分１２４は他方に対して右側に位置するように配慮してある。なお、チャットメッセージ表示域１２２では、送信したチャットメッセージ、受信したチャットメッセージそれぞれが区分可能なように、例えば受信したチャットメッセージはディスプレー部において右寄せ位置で表示すると共に、背景色を付すこと等の処理を施してある。
【００３５】
また、前記メール文章・アイコンライブラリー部６０において、メッセージ文章（テキスト）を入力するときの簡易化、文章内容のセキュリティーを考慮した暗号化を可能にするよう作成文章の少なくとも一部をアイコン（絵）に変換し、さらにはそのアイコンを記号に変換した実データとして送信できるようにしてあり、そのアイコン、記号の内容から文章をテキストデータして復元する処理がなされる。すなわち、文章作成時において、文字の他にアイコン（イラスト、写真など）と組み合わせた入力と表示ができるようにし、実データはアイコンさらには記号によって自動的に暗号変換され、受信時には、各アイコン・記号による暗号は自動復元して文章に変換されるようにしてある。
【００３６】
そのため、図６に示すように、アイコン・文章・暗号の変換テーブルが予め用意されており、アイコン・写真を表示するアイコン（絵）・写真欄、アイコン等の内容に対応する文章を表示する文章欄、アイコン等によって表示される内容を暗号とする暗号記号を表示するアイコン暗号化欄、その他必要とする追加内容等を表示できるようにした備考欄を備え、対応するアイコン、文章、暗号等が一覧的に纏められており、所定のアイコンさらには記号等の選択がその文章、暗号等を対応させて意味させるようにしている。
【００３７】
例えばメッセージ作成時に、タクシーのアイコンを選択し、文章として「１台９時までに。」と入力することで、メールデータとして「＃T1  １台９時までに。」と表示されて送信され、これを受信した後に変換された文章表示は「タクシーの手配をしてください。１台９時までに。」となる。
【００３８】
このように文章（テキスト）作成時において、アイコン（絵）表示と文字との組み合わせ構成によりアイコン混在文章が作成できるようにしており、例えばスマートフォンなどにおける文章作成は、アイコン（絵）ライブラリーから選択し、入力画面に移動後タップにて登録できるようにしてある（図１２参照）。なお、アイコン（絵）の前後に文字を入力でき、アイコンは、イラスト、写真などを利用できるようにしている。
【００３９】
また、アイコン（絵）は、独自の暗号（英数記号など）により自動変換し文章データに登録するのであり、独自の暗号を一般文章に変換するため、例えばネット上のデータベースサーバのアイコン(絵）データ変換テーブルを検索し自動変換するようにしてある。
【００４０】
こうすることで、英数記号などの独自の暗号によりセキュリティーを確保でき、この独自の暗号は、文章データから特定情報（文章）を取り出し易い形式とするのであり、ビックデータ解析の際のキーワード検索、フィルタリングキーなどに役に立つ暗号形式とするのである。
【００４１】
メッセージデータの復元時には、独自の暗号データは、ネットワーク上のアイコン(絵）データ変換テーブルを検索して自動変換し、文章として表示するのであり、必要に応じて、事前設定により、暗号を復元しないとした場合は、アイコン（絵）と文字とを混合した文章を表示できるようにしている。
【００４２】
ここで、スマートフォンのディスプレー部に表示されたアドレス帳登録編集機能などの設定画面を説明すると図７に示すように、メールアドレス帳編集機能、メーリングリスト作成機能等をタップ等によって選択操作するアドレス帳・メーリングリスト域１３１、取引先・相手方検索表示機能を同じくタップ等によって選択操作する取引先を表示する取引先名欄１３２、文章作成時に選択使用するアイコンの作成・編集機能を同じくタップ等によって選択操作するアイコン作成編集域１３３、使用開始時の各種の初期設定を同じくタップ等によって選択操作する初期値設定域１３４、さらにはシステム概要書・操作マニュアルなどにリンクするよう同じくタップ等によって選択操作するＡｂｏｕｔ域１３５等が用意されている。
【００４３】
また、図中符号１３６はメールアドレス、タイトル、本文等の文章を検索するためのキーワード等を入力させてタップ等によって選択操作する検索域、１３７はディスプレー部に表示される右側画面をスクロール表示させるよう同じくタップ等によって選択操作する右側窓表示ボタンである。
【００４４】
また、同様にスマートフォンのディスプレー部に表示された新規メールその他を作成する新規メール作成画面を説明すると図８に示すように、機能を１段にまとめて表示するよう固定されている機能表示バー１４１には、受信・送信・開封・完了などのフォルダをプルダウン表示によって選択操作するフォルダ選択ボタン１４２、新規メール作成を選択操作する新規メール作成ボタン１４３、選択表示されたメールを一時的に保持するよう削除ボックスに移動することで削除操作させるメール削除ボックスボタン１４４、用意されているアイコンを選択させるよう一覧で表示させるアイコンライブラリー表示ボタン１４５、表示された前画面・前頁あるいは次画面・次頁を選択操作させる頁選択ボタン１４６が用意されている。また、メールアドレス、メールテキストを検索する検索ボタン１４７、ディスプレー部に表示される左側画面をスクロール表示させるよう同じくタップ等によって選択操作する左側窓表示ボタン１４７Ａも用意されている。
【００４５】
タイトルを入力するタイトル入力エリア１４８には、文書ライブラリーからのコピー機能を備えており、メール添付エリア１４９にはメールに添付するファイル、写真・画像その他を選択指示して添付できるようにしてある。
【００４６】
本文入力エリア１５１には、送信するメッセージ文章を作成入力できるようにしてあり、作成入力後で返信処理、完了処理を確定指示する返信ボタン１５２、完了ボタン１５３が用意されている。
【００４７】
また、メッセージ・メールにおける開封、返信、転送、完了等の処理を指示するこれらの開封ボタン、返信ボタン、転送ボタン、完了ボタン等がアイコンとして表示用意された固定されている処理表示バー１５５があり、これらの処理アイコンは事前設定によってこれらの表示の要否を複数で指定可能にしてある。
【００４８】
更に、ディスプレー部の下部には入力部１６１が区画形成されており、英文字、数字、平仮名文字等の各種文字を画面表示の切り替えと共に入力できるようにしてあって、これによって入力された文字は例えばタイトル入力エリア１４８、本文入力エリア１５１等で表示され、漢字変換時には変換候補の表示漢字が順次に表示され、選択されるようにしてある。また、この入力部１６１にはアイコンライブラリーからのアイコンが表示され、その全部が順次に表示されるようにスクロールされる。
【００４９】
次にこの考案に係るメール通信の手順につき説明すると、図９に示すように、メールを利用する際にこれが利用可能なものであるか否かを判定し（ステップ１）、利用可能であればメール通信を可能にさせて監視し（ステップ２）、利用が不可であれば強制終了させる（ステップ３）。メール通信が可能であれば、新規メールを作成させる（ステップ４）。新規メールの作成に際し、アドレス帳テーブルから宛先を選択入力し、また宛先のみか（ｔｏ）、複写を送付する宛先（ｃｃ．ｂｃｃ）の追加の有無を設定し（ステップ５）、後述するステップ１０と共に処理される。
【００５０】
受信メールの有無を確認し（ステップ６）、受信メールがある場合には返信の要否を設定し（ステップ７）、開封処理後で返信をしない場合にはメールの自動開閉処理を実行する（ステップ９）。メールの返信に際し、返信先への送信アドレス設定処理がなされ（ステップ８）、後述するステップ１０と共に処理される。ステップ６において、受信メールがない場合にはステップ２に戻り、再度判定される。
【００５１】
受信メールは、メール種別によって、送信、受信、開封、返信、転送、完了等のフォルダに分けて処理すると共にメール一覧・チャットの表示方法を設定する（ステップ１０）。フォルダ分けされたメールは図２乃至図５に示すように色識別され、発信日時・相手方・タイトル・本文表示処理が実施される（ステップ１１）。
【００５２】
タイトル・本文・チャット文書としての文章編集がなされ、作成された通信文中でアイコン・記号に変換することでの暗号化処理、暗号化された通信内容に対応してテキストデータとする復元処理がなされ、その表示と入力とを処理する（ステップ１２）。また、写真・画像・ファイル等の登録添付、表示処理がなされ（ステップ１３）、その後、メールの送信あるいは受信処理がなされる（ステップ１４）。
【００５３】
また、メールを利用したショートメッセージ（チャット）とその管理、処理は、図１０に示すように、チャットメッセージとしての送信・返信メールが新規作成メール時の発信日時、タイトルとの同一性を判定し（ステップ２１）、同一である場合には同一の関連したチャットメッセージとしてグループ管理して送信・返信回数をカウント処理し（ステップ２２）、同一でない場合には異なるメールとして区別した表示を処理し（ステップ２３）、その後、ステップ２２でカウント処理する。
【００５４】
カウント処理したメールが、送信メールである場合（ステップ２４）にはそのメールを「送信」フォルダ内に登録処理して仕分けし、識別格納して例えば赤色の識別マークを付記セットする（ステップ２５）。送信メールでない場合には、送信した相手方が送信したメールを開封していた場合（ステップ２６）にはそのメールを「開封」フォルダ内に登録処理して仕分けし、識別格納して例えば黄色の識別マークを付記セットする（ステップ２７）。さらに送信メールが相手方によって開封されていない場合（ステップ２８）にはそのメールを「返信」フォルダ内に登録処理して仕分けし、識別格納して例えば赤色の識別マークを付記セットする（ステップ２９）。そして返信メールでない場合にはそのメールを「完了」フォルダ内に登録処理して仕分けし、識別格納して例えば緑色の識別マークを付記セットする（ステップ３０）。
【００５５】
次いで、ステップ２５、ステップ２７、ステップ２９、ステップ３０を経た処理後は、２回目以降の送信・返信・完了かを判別、すなわちチャットメッセージとして管理するか否かを判別（ステップ３１）し、送信・返信・完了のメールであれば本人が発信した発信・返信のメールであるか否かを判別（ステップ３２）し、本人発信・完了のメールであれば本人発信のチャットであることを識別格納して例えば青色の識別マークを右端表示で付記セットする（ステップ３３）。ステップ３２で、本人発信のメールでない場合すなわち受信メールである場合には相手方発信のチャットであると識別格納して例えば灰色の識別マークを左端表示で付記セットする（ステップ３４）。これらの表示、付記セットは、フォルダ取り出しメール表示処理、すなわち回数表示・メール識別色・チャット識別色とこれらの表示位置などを制御して図２あるいは図３に示されるメール一覧表示画面にあるように表示される（ステップ３５）。なお、ステップ３１において２回目以降の発信・返信・完了のメールでないと判別された場合にはこのステップ３５と同様に表示される。
【００５６】
このようにステップ２１からステップ３５の処理を経て、メール利用のチャットメッセージの管理、処理が、自動メール送信・開封・完了フォルダによる仕分け、及びそれらのメールの一覧、チャット表示処理として実行される。
【００５７】
次に文章（テキスト）のアイコン（絵）表示と、文書データの暗号化、その復元化の処理を、図１１を参照して説明すると以下の通りである。先ず、メール文章の作成・編集・登録であるか否かを選択し（ステップ４１）、作成等である場合にはアイコンを挿入する文章の作成であるか否かを選択し（ステップ４２）、アイコン挿入文章であるは場合には、文章作成時のアイコンをアイコンライブラリーから検索することで、テキストあるいはテキストの一部をアイコンに変換し、データさらにはアイコンを所定の記号として変換し実の記号として書き込み処理する（ステップ４３）。このときのアイコンライブラリーからの表示画面例は図１２に示すように、チャットメッセージ表示画面１２０中にダイアログとして区画されるアイコンライブラリー表示域１６２から適宜に選択する。次いでステップ４１において、メール文章の作成等でない場合にはアイコン（絵）・記号入りの文章であるか否かを判別し（ステップ４４）、アイコン等が挿入されている文章の場合にはメールデータ中のアイコン・記号等をアイコンライブラリーから検索し、テキストに変換してテキストとして表示処理する（ステップ４５）。文章のアイコン化、あるいは復元テキスト化の一連の処理を、またステップ４２において、文章をアイコン化しない場合も終了する。
【００５８】
このようにして送信時で作成する文章（テキスト）内容の少なくとも一部をアイコン化し、またそれによる暗号化を可能にして実データとして送信し、受信時でアイコン・記号の内容をテキストデータとして復元表示できる。
【符号の説明】
【００５９】
１…メール・サーバ                      ２…通信端末機器
３…通信処理部                          ４…解析処理部
５…描写表示処理部
１０…メール機能管理部                  ２０…仕分け管理部
３０…メールアドレス管理部              ４０…メールデータ部
５０…メール・チャットデータ部
６０…メール文章・アイコンライブラリー部
７０…メール添付データ部                ８０…文章編集・入力・表示処理部
１０１…メールフォルダ表示域            １０２…タイトル表示域
１０３…送受信者表示域                  １０４…チャット回数表示域
１０５…現状況表示域                    １０６…最終チャット日時表示域
１１１…機能設定表示操作域              １１２…自画像表示域
１１３…新規メール作成操作域            １１４…削除操作域
１１５…頁変更指示操作域
１２０…チャットメッセージ表示画面      １２１…標題表示域
１２２…チャットメッセージ表示域        １２３…本人文章表示部分
１２４…相手方文章表示部分              １２５…チャット入力表示域
１２６…送受信者表示域
１３１…アドレス帳・メーリングリスト域  １３２…取引先名欄
１３３…アイコン作成編集域              １３４…初期値設定域
１３５…Ａｂｏｕｔ域                    １３６…検索域
１３７…右側窓表示ボタン
１４１…機能表示バー                    １４２…フォルダ選択ボタン
１４３…新規メール作成ボタン            １４４…メール削除ボックスボタン
１４５…アイコンライブラリー表示ボタン  １４６…頁選択ボタン
１４７…検索ボタン                      １４７Ａ…左側窓表示ボタン
１４８…タイトル入力エリア              １４９…メール添付エリア
１５１…本文入力エリア                  １５２…返信ボタン
１５３…完了ボタン                      １５５…処理表示バー
１６１…入力部                          １６２…アイコンライブラリー表示域
【図１】
0003202762.tif 000003
【図２】
0003202762.tif 000004
【図３】
0003202762.tif 000005
【図４】
0003202762.tif 000006
【図５】
0003202762.tif 000007
【図６】
0003202762.tif 000008
【図７】
0003202762.tif 000009
【図８】
0003202762.tif 000010
【図９】
0003202762.tif 000011
【図１０】
0003202762.tif 000012
【図１１】
0003202762.tif 000013
【図１２】
0003202762.tif 000014